(57)【要約】    【課題】インナブームの開口部からの異物や鳥の侵入を防止することができる構成のテレスコピックブームを提供する。    【解決手段】インナブーム１０の先端に、このインナブーム１０内に挿通した油圧シリンダ１５により回動可能に作業台１１または作業具を取付ける。インナブーム１０の先端に、このインナブーム１０の内壁と前記油圧シリンダ１５との間の隙間からの異物や鳥の侵入を防ぐゴム製の蓋２１を設ける。また、蓋２１はゴム板でなり、その油圧シリンダとの接触側に切り込みを設ける。テレスコピックブームを起立させた状態で作業機を駐車させた状態でも鳥の侵入が蓋により防止され、インナブームな内での巣造りを防止でき、作業中における異物の侵入を防止できる。【選択図】図２
2005350200.tif 000002
【特許請求の範囲】
【請求項１】
インナブームの先端に、このインナブーム内に挿通した油圧シリンダにより回動可能に作業台または作業具を取付けたテレスコピックブームにおいて、
前記インナブームの先端に、このインナブームの内壁と前記油圧シリンダとの間の隙間への異物や鳥の侵入を防ぐゴム製の蓋を設けたことを特徴とするテレスコピックブーム。
【請求項２】
請求項１に記載のテレスコピックブームにおいて、
前記蓋を、ほぼ同一面を構成するように並べて取付けられる２枚のゴム板により構成し、２枚のゴム板の突き合わせ部より切り込みを設け、この突き合わせ部に、前記油圧シリンダを貫通させたことを特徴とするテレスコピックブーム。
【発明の詳細な説明】
【技術分野】
【０００１】
本発明は、インナブームの先端にこのインナブーム内に通した油圧シリンダにより回動自在に作業台や作業具を取付けたテレスコピックブームに関する。
【背景技術】
【０００２】
高所作業車は、一般に、作業台を支持するブームとして、断面サイズが異なる複数本のブームを伸縮自在に組合わせたテレスコピックブームを使用する。このようなテレスコピックブームを用いる場合、インナブームの先端に作業台を常時水平に保つためのレベルシリンダと称される油圧シリンダが取付けられる。
【０００３】
この油圧シリンダは、特許文献１、２に記載のように、インナブーム内に挿入して取付けられる。この油圧シリンダは、テレスコピックブームの起伏に対応して伸縮してインナブームに対して作業台を回動させるため、油圧シリンダがインナブーム内にてインナブームに対して相対的に起伏する方向に変位する。この変位を許容するため、インナブームの先端は開口している。
【０００４】
【特許文献１】特開平８−３１９１００号公報
【特許文献２】特開平１１−２９２４８２号公報
【発明の開示】
【発明が解決しようとする課題】
【０００５】
前記テレスコピックブームを有する高所作業車は、駐車中、高所作業車を置いておく敷地の有効利用を図るため、高所作業車の占有面積がなるべく狭くなるように、テレスコピックブームを起立させた姿勢にしておくことが多い。しかしながら、このテレスコピックブームを起立させた状態で駐車しておくと、インナブームの先端より鳥が内部に侵入して巣を造り、高所作業車を作動させる際に、巣を構成している枯草や小枝およびそれらに付着する小石等を油圧シリンダのピストンロッドとチューブとの摺動面に噛み込み、油圧シリンダを損傷させるおそれがある。また、高所作業車の床が金網等で構成されている場合、溶接作業等によるスパッタ（溶融した金属屑）が床を通り抜けて油圧シリンダに降りかかり、前記摺動面への噛み込みを生じるおそれがある。このような噛み込みの問題は、テレスコピックブームにホークや掘削バケットを取付けてなる作業機においても同様に起きる。
【０００６】
本発明は、上記問題点に鑑み、インナブームの開口部からの異物や鳥の侵入を防止することができる構成のテレスコピックブームを提供することを目的とする。
【課題を解決するための手段】
【０００７】
請求項１のテレスコピックブームは、インナブームの先端に、このインナブーム内に挿通した油圧シリンダにより回動可能に作業台または作業具を取付けたテレスコピックブームにおいて、
前記インナブームの先端に、このインナブームの内壁と前記油圧シリンダとの間の隙間への異物や鳥の侵入を防ぐゴム製の蓋を設けたことを特徴とする。
【０００８】
請求項２のテレスコピックブームは、請求項１に記載のテレスコピックブームにおいて、
前記蓋を、ほぼ同一面を構成するように並べて取付けられる２枚のゴム板により構成し、２枚のゴム板の突き合わせ部より切り込みを設け、この突き合わせ部に、前記油圧シリンダを貫通させたことを特徴とする。
【発明の効果】
【０００９】
請求項１の発明によれば、インナブームの内壁とインナブームの先端部に挿入された油圧シリンダとの間の隙間をゴム製の蓋により閉塞したので、テレスコピックブームを起立させた状態で作業機を駐車させた状態でも鳥の侵入が蓋により防止され、インナブーム内での巣造りを防止することができる。また、テレスコピックブームを有する高所作業車において、テレスコピックブームを起立させ、作業台上で溶接作業等を行なう場合であっても、飛散するスパッタ等が油圧シリンダを収容したインナブーム内に侵入することが防止され、油圧シリンダのピストンロッドとチューブとの摺動面への異物の噛み込みが減少する。また、インナブームの先端にホークやバケットが取付けられる場合においても、破砕屑等がインナブーム内に侵入することを防止できる。また、前記蓋はゴム製であり、油圧シリンダがインナブーム内で起伏する等の移動を蓋が阻害することがない。
【００１０】
請求項２の発明においては、前記蓋を構成する２枚のゴム板の突き合わせ部より切り込みを設けたので、油圧シリンダのインナブーム内における起伏動作等の移動に伴って、切り込みにより分断されたゴム片が油圧シリンダの動きに良好に追従して変形し、油圧シリンダの周囲に隙間が生じることを防止することができる。
【発明を実施するための最良の形態】
【００１１】
図１は本発明のテレスコピックブームの一実施の形態を高所作業車に適用した例を示す高所作業車の側面図である。図１において、１は走行体であり、この走行体には、本例のようにクローラ式走行体以外にホイール式走行体も用いる場合もある。２は走行体1上に旋回装置３を介して設置した旋回体、４は旋回体２上にブームフートピン５を中心としてブームシリンダ６により起伏自在に取付けられたテレスコピックブームである。
【００１２】
本実施の形態においては、テレスコピックブーム４としていずれも角筒状をなすアウタブーム８と中間ブーム９とインナブーム１０とからなる３段伸縮式のものを示しているが、２段あるいは４段以上の構成も採用される。テレスコピックブーム４は内蔵する油圧シリンダのみあるいは油圧シリンダとワイヤロープの掛け回しにより伸縮装置が構成される。
【００１３】
前記インナブーム１０は先端に作業台１１の取付け部１０ａを有する。この取付け部１０ａの先端には、ピン７を中心として、作業台１１の取付けブラケット１２が後述の油圧シリンダ１５により上下に回動可能に取付けられている。前記作業台１１は、前記取付けブラケット１２に旋回装置１３を介して設置される。作業台１１にはこの上でオペレータが高所作業車を操作するための操作装置１４が設けられている。
【００１４】
油圧シリンダ１５は、前記作業台１１をテレスコピックブーム４の傾斜角に拘りなく水平に保つためのレベルシリンダと称されるものである。この油圧シリンダ１５は、前記ブームシリンダ６の油圧回路に関連する油圧回路を有し、テレスコピックブーム４の起伏に自動的に連動して伸縮して作業台１１を水平に保つ作用をなす。図２に示すように、前記油圧シリンダ１５はインナブーム１０内に挿通して一端部をインナブーム１０の内部にピン１６により連結し、他端を前記ブラケット１２にピン１７に連結して取付けられる。
【００１５】
前記油圧シリンダ１５は、その伸縮に伴って図２の矢印Ｒで示すように、インナブーム１０に対して相対的に起伏する方向に動くため、前記作業台１１の取付け部１０ａは、上板部１９と両側の側板部２０とからなる開口構造を有する。
【００１６】
２１は油圧シリンダ１５とインナブーム１０の内壁との間の隙間を防ぐために本発明により設けたゴム製の蓋である。本実施の形態においては、図２のＡ矢視図である図３に示すように、蓋２１はほぼ同一面を形成するように並べて取付けられる長方形をなす２枚のゴム板２２からなる。これらのゴム板２２は、互いに突き合わされる辺、すなわち前記油圧シリンダ１５が貫通する側の辺より複数本の切り込み２３が設けられ、これにより切り込み２３の間に複数の分断片２２ａを形成してなり、以下の構造によりインナブーム１０に取付けられる。
【００１７】
２４は２枚のゴム板２２をそれぞれ前記取付け部１０ａの左右の側板部２０に固定するためのＬ字形の金具である。これらのＬ字形の金具２４は、これらの金具２４に設けた孔と前記側板部２０に設けた孔に挿通したボルト２５と、これに螺合するナット２６とにより前記側板部２０に固定される。前記各ゴム板２２は、その各上辺の側板部２０側のコーナー部近傍を、この金具２４およびゴム板２２に設けた孔に挿通したボルト２７とこれに螺合するナット（図示せず）により固定し、各ゴム板２２の下辺を、インナブーム１０の下板部１０ｂに溶接等により固定した取付け板２８に、この取付け板２８とゴム板２２の下辺部近傍に設けた孔に挿通するボルト２９とこれに螺合するナット３０により固定する。この取付け状態では、図２に示すように、ゴム板２２は側面視が湾曲した状態で取付けられる。
【００１８】
これらのゴム板２２を取付けた状態では、２枚のゴム板２２どうしの突き合わせ辺が互いに近接あるいは当接した状態となる。そして前記油圧シリンダ１５は、前記２枚のゴム板２２の突き合わせ部に貫通して取付けられる。本実施の形態では、油圧シリンダ１５のピストンロッド１５ａの周囲にゴム板２２の切り込み２３の間の分断片２２ａが当接した状態となる。
【００１９】
この構成によれば、図４に示すように、テレスコピックブーム４が起立した状態で駐車しても、インナブーム１０の先端開口部が蓋２１により閉塞されるので、鳥の侵入やその巣造りを防止することができる。また、テレスコピックブーム４を起立させた状態で溶接作業等を行なう場合であっても、飛散するスパッタ等が金網でなる床３１を通して落下しても、油圧シリンダ１５を収容したインナブーム１０内に侵入することが蓋２１により防止され、油圧シリンダ１５のピストンロッド１５ａとチューブとの摺動面への異物の噛み込みが減少する。また、前記蓋２１はゴム製であり、油圧シリンダ１５がインナブーム内で図２の矢印Ｒ方向に起伏する等の移動を行なうことを蓋２１が阻害することがない。
【００２０】
また、本実施の形態では、前記蓋２１を２枚のゴム板２２により構成し、これらのゴム板２２の油圧シリンダ１５との接触側である突き合わせ辺より切り込み２３を設けたので、油圧シリンダのインナブーム内における起伏動作等の変位に伴って、切り込み２３により分断されたゴム片２２ａが油圧シリンダ１５の動きに良好に追従して変形し、油圧シリンダ１５の周囲に隙間が生じることを防止することができる。
【００２１】
本発明は、インナブーム１０の先端にホークやバケットが取付けられて作業機を構成する場合にも適用でき、この場合は、破砕屑等がインナブーム内に侵入することを防止できる。
【図面の簡単な説明】
【００２２】
【図１】本発明によるテレスコピックブームの一実施の形態を示す高所作業車の側面図である。
【図２】図１の要部拡大側面図である。
【図３】図２のＡ矢視図である。
【図４】本実施の形態において、テレスコピックブームが起立した状態を示す側面図である。
【符号の説明】
【００２３】
１：走行体、２：旋回体、３：旋回装置、４：テレスコピックブーム、５：ブームフートピン、６：ブームシリンダ、８：アウタブーム、９：中間ブーム、１０：インナブーム、１０ａ：作業台の取付け部、１１；作業台、１２：作業台の取付けブラケット、１３：旋回装置、１４：操作装置、１５：油圧シリンダ、１５ａ：ピストンロッド、１６、１７：ピン、１９：上板部、２０：側板部、２１：蓋、２２：ゴム板、２２ａ：分断片、２３：切り込み、２４：Ｌ字形の金具、２５、２７、２９：ボルト、２６、３０：ナット、２８：取付け板、３１：床
【図１】
2005350200.tif 000003
【図２】
2005350200.tif 000004
【図３】
2005350200.tif 000005
【図４】
2005350200.tif 000006